(57)【特許請求の範囲】
【請求項１】
人体から放射される熱線を検知することにより検知領域内における人の存否を検知する人体検知センサと、周囲の明るさを検知する明るさセンサと、明るさセンサの検知した周囲の明るさが所定のしきい値よりも暗く、且つ、人体検知センサが人の存在を検知すると、所定の動作保持時間の間だけ負荷をオンオフさせる制御信号を発生する制御回路、当該制御回路から入力される制御信号に基づいて負荷への電源供給をオンオフ制御する負荷制御回路および制御回路に動作電源を供給する電源回路よりなる回路部と、人体検知センサ、明るさセンサおよび回路部を収納する器体とを備え、上記器体は、前面が略矩形状に形成され、壁面のような施工面に固定される取付枠に結合される取付け部を有し、上記器体の短幅方向の寸法は、前記取付枠の開口窓の短幅方向寸法と略同じ寸法に形成されるとともに、上記器体の長手方向の寸法は、前記開口窓の長手方向寸法の略３分の２に形成され、所定の検知領域から入射される熱線を人体検知センサに集光するレンズと、所望の検知領域が得られるようにレンズにより集光された光の一部を反射して人体検知センサに入射させる反射部材と、動作モードを、人体検知センサおよび明るさセンサの検知信号に基づいて自動的に負荷をオンオフ制御する自動モード、検知信号と無関係に負荷を強制的にオンさせる連続入モード、又は検知信号と無関係に負荷を強制的にオフさせる連続切モードの内の何れかに切り換えるモード切換手段と、当該モード切換手段を操作するための操作ハンドルと、明るさのしきい値および動作保持時間の設定を切り換える設定手段と、当該設定手段が設けられた器体の部位を開閉自在に覆う扉とを設け、人体検知センサが配置される器体の取付部位に対して前記操作ハンドルと前記扉とを施工状態における上下方向に並べて配置し、上記取付部位の表面形状を前方に突出する曲面形状に形成するとともに、前記操作ハンドルおよび前記扉の表面形状をそれぞれ上記取付部位と略同じ曲面形状に形成したことを特徴とする熱線センサ付自動スイッチ。
【請求項２】
商用電源および負荷の直列回路が接続される２個の接続端子を設け、上記負荷制御回路は接続端子を介して商用電源および負荷と直列に接続されるとともに、上記電源回路は負荷制御回路と並列に接続されており、上記電源回路は負荷の非駆動時に負荷が駆動するに至らないレベルの入力インピーダンスを有し、負荷の非駆動時に制御回路に電源供給しており、負荷の駆動時に制御回路に動作電源を供給する補助電源回路を設けたことを特徴とする請求項１記載の熱線センサ付自動スイッチ。
【請求項３】
商用電源や負荷の接続される接続端子が速結端子構造の端子からなることを特徴とする請求項１又は２記載の熱線センサ付自動スイッチ。
【請求項４】
商用電源や負荷の接続される接続端子がねじ端子からなることを特徴とする請求項１又は２記載の熱線センサ付自動スイッチ。
【請求項５】
人体検知センサを、熱を発生する回路部品と離して器体内部に配置したことを特徴とする請求項１乃至４の何れか１つに記載の熱線センサ付自動スイッチ。
【請求項６】
人体検知センサの検知領域を制限する遮光性を有する検知領域制限カバーを設け、該検知領域制限カバーが表面に沿ってスライド自在に移動するカバー支持部材を器体に設けたことを特徴とする請求項１乃至５の何れか１つに記載の熱線センサ付自動スイッチ。
【請求項７】
検知領域制限カバーに設けられた被係止部と凹凸係止する係止部を支持カバーの表面に設けたことを特徴とする請求項６記載の熱線センサ付自動スイッチ。
【請求項８】
人体検知センサの検知領域を制限する遮光性を有する検知領域制限カバーが器体に着脱自在に取り付けられたことを特徴とする請求項１乃至５の何れか１つに記載の熱線センサ付自動スイッチ。
【請求項９】
モード切換手段および設定手段の操作ハンドルが配設された器体の部位よりも上方に明るさセンサが配置されたことを特徴とする請求項１乃至８の何れか１つに記載の熱線センサ付自動スイッチ。
【発明の詳細な説明】
【０００１】
【発明の属する技術分野】
本発明は、人体から放射される熱線を検出して、負荷をオンオフさせる熱線センサ付自動スイッチに関するものである。
【０００２】
【従来の技術】
この種の熱線センサ付自動スイッチとしては、所定の検知領域において、人体から放射される熱線を、レンズにより例えば焦電センサからなる人体検知センサに集光し、人体検知センサの人体検知信号に基づいて負荷（例えば照明負荷）のオンオフ制御を行うものがあった。この熱線センサ付自動スイッチは、玄関や廊下などの壁面（施工面）に固定された取付枠を用いて埋込配線され、人の出入りや往来を検知して、自動的に照明負荷を点灯／消灯させるために用いられていた。
【０００３】
【発明が解決しようとする課題】
上記構成の熱線センサ付自動スイッチでは、器体が取付枠の開口窓と略同じ寸法に形成されているので、１連のスイッチボックスに他の埋込配線器具とともに埋込配線することができなかった。そのため、熱線センサ付自動スイッチとは別に、外玄関や他の部屋に配設された照明負荷をオンオフ制御するための点滅スイッチを取り付けたい場合は、２連以上のスイッチボックスを用いて埋込配線しなければならないという問題があった。
【０００４】
本発明は上記問題点に鑑みて為されたものであり、その目的とするところは他の配線器具とともに取付枠に並設して使用することのできる熱線センサ付自動スイッチを提供することにある。
【０００５】
【課題を解決するための手段】
上記目的を達成するために、請求項１の発明では、人体から放射される熱線を検知することにより検知領域内における人の存否を検知する人体検知センサと、周囲の明るさを検知する明るさセンサと、明るさセンサの検知した周囲の明るさが所定のしきい値よりも暗く、且つ、人体検知センサが人の存在を検知すると、所定の動作保持時間の間だけ負荷をオンオフさせる制御信号を発生する制御回路、当該制御回路から入力される制御信号に基づいて負荷への電源供給をオンオフ制御する負荷制御回路および制御回路に動作電源を供給する電源回路よりなる回路部と、人体検知センサ、明るさセンサおよび回路部を収納する器体とを備え、上記器体は、前面が略矩形状に形成され、壁面のような施工面に固定される取付枠に結合される取付け部を有し、上記器体の短幅方向の寸法は、前記取付枠の開口窓の短幅方向寸法と略同じ寸法に形成されるとともに、上記器体の長手方向の寸法は、前記開口窓の長手方向寸法の略３分の２に形成され、所定の検知領域から入射される熱線を人体検知センサに集光するレンズと、所望の検知領域が得られるようにレンズにより集光された光の一部を反射して人体検知センサに入射させる反射部材と、動作モードを、人体検知センサおよび明るさセンサの検知信号に基づいて自動的に負荷をオンオフ制御する自動モード、検知信号と無関係に負荷を強制的にオンさせる連続入モード、又は検知信号と無関係に負荷を強制的にオフさせる連続切モードの内の何れかに切り換えるモード切換手段と、当該モード切換手段を操作するための操作ハンドルと、明るさのしきい値および動作保持時間の設定を切り換える設定手段と、当該設定手段が設けられた器体の部位を開閉自在に覆う扉とを設け、人体検知センサが配置される器体の取付部位に対して前記操作ハンドルと前記扉とを施工状態における上下方向に並べて配置し、上記取付部位の表面形状を前方に突出する曲面形状に形成するとともに、前記操作ハンドルおよび前記扉の表面形状をそれぞれ上記取付部位と略同じ曲面形状に形成したことを特徴とする。このような構成を採用したことにより、制御回路が人体検知センサおよび明るさセンサの検知信号に基づいて制御信号を発生し、負荷制御回路が制御信号に応じて負荷への電源供給をオンオフしているので、人体検知センサおよび明るさセンサの検知信号に応じて負荷を自動的にオンオフすることができ、且つ、器体の長手方向寸法が取付枠の開口窓の長手方向寸法の略３分の２に形成されているので、この器体を他の配線器具とともに取付枠に並設することができる。しかも、レンズおよび反射部材の組み合わせにより所望の検知領域を得ることができるので、従来のように人体検知センサの向きを変化させて検知領域を調整するための回転機構を器体に設ける必要がなく、回転機構を収納する空間が不要になるので、器体を小型化することができる。しかも、周囲が明るい場合に動作させる必要のない照明負荷などで負荷が構成される場合は、周囲が明るい場合に負荷が動作するのを防止して省エネを図ることができる。また、操作ハンドルおよび扉の表面形状を、それぞれ、人体検知センサが配置される器体の取付部位と略同じ曲面形状に形成しているので、操作ハンドルを大きくして操作性を向上させるとともに、見栄えを良くすることができ、且つ、現在の設定状態を容易に判別することができる。そのうえ、扉の表面形状を曲面形状としているので、扉の内面側の空間を広く取ることができ、設定手段を操作する操作ハンドルを設定手段に取り付ける空間を扉内部に確保することができるから、設定手段の操作性を向上させることもできる。
【０００６】
請求項２の発明では、請求項１の発明において、商用電源および負荷の直列回路が接続される２個の接続端子を設け、上記負荷制御回路は接続端子を介して商用電源および負荷と直列に接続されるとともに、上記電源回路は負荷制御回路と並列に接続されており、上記電源回路は負荷の非駆動時に負荷が駆動するに至らないレベルの入力インピーダンスを有し、負荷の非駆動時に制御回路に電源供給しており、負荷の駆動時に制御回路に動作電源を供給する補助電源回路を設けたことを特徴とし、商用電源が接続される接続端子と負荷が接続される接続端子とを別々に設けた場合に比べて接続端子の数を少なくすることができ、接続端子を収納する空間が小さくて済むので、器体を小型化することができる。
【０００７】
請求項３の発明では、請求項１又は２の発明において、商用電源や負荷の接続される接続端子が速結端子構造の端子からなることを特徴とし、電線を端子に差し込むだけで電線を容易に接続することができる。
【０００８】
請求項４の発明では、請求項１又は２の発明において、商用電源や負荷の接続される接続端子がねじ端子からなることを特徴とし、速結端子構造の端子を用いる場合に比べて端子を収納する空間が小さくて済むので、器体をさらに小型化することができる。
【０００９】
請求項５の発明では、請求項１乃至４の何れかの発明において、人体検知センサを、熱を発生する回路部品と離して器体内部に配置したことを特徴とし、人体検知センサと発熱部品とを離すことによって回路部品の発熱による人体検知センサの誤動作を防止することができる。
【００１０】
請求項６の発明では、請求項１乃至５の何れかの発明において、人体検知センサの検知領域を制限する遮光性を有する検知領域制限カバーを設け、該検知領域制限カバーが表面に沿ってスライド自在に移動するカバー支持部材を器体に設けたことを特徴とし、不要な領域からの熱線を検知領域制限カバーで遮光することにより人体検知センサの誤動作を防止することができ、且つ、検知領域制限カバーはスライド自在に設けられているので、遮光する領域の変更にも容易に対応することができる。
【００１１】
請求項７の発明では、請求項６の発明において、検知領域制限カバーに設けられた被係止部と凹凸係止する係止部を支持カバーの表面に設けたことを特徴とし、検知領域制限カバーをスライドさせる際に被係止部が係止部と係止してクリック感が発生するので、検知領域制限カバーの調整位置を容易に見つけることができる。
【００１２】
請求項８の発明では、請求項１乃至５の何れかの発明において、人体検知センサの検知領域を制限する遮光性を有する検知領域制限カバーが器体に着脱自在に取り付けられたことを特徴とし、検知領域制限カバーは着脱自在となっているので、任意の位置に取り付けて所望の領域からの熱線を遮光することができる。
【００１３】
請求項９の発明では、請求項１乃至８の何れかの発明において、モード切換手段および設定手段の操作ハンドルが配設された器体の部位よりも上方に明るさセンサが配置されたことを特徴とし、モード切換手段や設定手段を操作する際に明るさセンサが手のかげに入ることがなく、明るさセンサの誤動作を防止することができる。
【００１４】
【発明の実施の形態】
本発明の実施の形態を図１乃至図２２を参照して説明する。
【００１５】
図２１に、この熱線センサ付自動スイッチの回路図を示す。接続端子ｔ１，ｔ２間には負荷（例えば白熱灯や蛍光灯やインバータ照明器具などの照明負荷）Ｌと商用電源ＡＣとが直列に接続される。
【００１６】
接続端子ｔ１，ｔ２間には、カレントトランスＣＴの１次巻線と、全波整流器ＤＢ１と、負荷Ｌへの電源供給をオンオフ制御するトライアックＴＲＣを有する負荷制御回路１０１とが直列に接続される。全波整流器ＤＢ１の直流出力端子間には、例えばマイクロコンピュータよりなる制御用ＩＣ１０３から入力される信号によりトリガされ、トライアックＴＲＣのゲートに制御信号を与えてターンオンさせるサイリスタＳＣＲを有する駆動回路１０２と、制御用ＩＣ１０３の動作電源を生成する定電圧回路１０４に負荷Ｌの非駆動時に電源供給する電源回路１０５が接続される。また、カレントトランスＣＴおよびカレントトランスＣＴの２次巻線に接続された整流器ＤＢ２などから、負荷Ｌの駆動時に定電圧回路１０４に電源供給する補助電源回路１０６が構成される。ここに、制御用ＩＣ１０３および駆動回路１０２から制御回路が構成され、負荷制御回路１０１、制御回路、定電圧回路１０４および電源回路１０５などから回路部が構成される。なお、図２１中の１１１は制御用ＩＣ１０３の動作クロックを発生するクロック回路である。
【００１７】
制御用ＩＣ１０３は、所定の検知領域における人体から放射される熱線を検出して人体検知信号を発生する例えば焦電素子からなる人体検知センサ１０７、および、硫化カドミウム（ＣｄＳ）セルのような光電変換素子からなり周囲の明るさを検出する明るさセンサ１０８の検出信号に基づいて、駆動回路１０２を動作させる制御信号を発生する。なお、明るさセンサ１０８は、周囲の明るさが所定のしきい値よりも明るい場合はＨレベルの検出信号を発生し、周囲の明るさが所定のしきい値よりも暗い場合はＬレベルの検出信号を発生する。
【００１８】
明るさセンサ１０８の検出信号がＬレベル、すなわち周囲の明るさが所定のしきい値よりも暗い場合に、人体検知センサ１０７から人体検知信号が入力されると、制御用ＩＣ１０３は駆動回路１０２を動作させる制御信号を駆動回路１０２に出力し、駆動回路１０２では制御用ＩＣ１０３から入力された制御信号によりサイリスタＳＣＲがオンし、トライアックＴＲＣのゲートにトリガ電流が流れて、トライアックＴＲＣがターンオンし、負荷Ｌに電源が供給される。ここで、全波整流器ＤＢ１の直流出力端子間には抵抗Ｒ４，Ｒ５の直列回路が接続され、全波整流器ＤＢ１の出力電圧を抵抗Ｒ４，Ｒ５で分圧した電圧が制御用ＩＣ１０３に入力されている。制御用ＩＣ１０３ではこの分圧電圧から商用電源ＡＣのゼロクロス点を検出し、サイリスタＳＣＲをトリガする位相を制御している。
【００１９】
一方、明るさセンサ１０８の検出信号がＨレベル、すなわち周囲の明るさが所定のしきい値よりも明るい場合には、人体検知センサ１０７から人体検知信号が入力されたとしても制御用ＩＣ１０３は駆動回路１０２に制御信号を出力しない。なお、設定手段たるスイッチＳＷ２の切換操作によって、明るさのしきい値を明（例えば１４〜８０ルクス）、暗（例えば５〜２０ルクス）の２段階に切り換えたり、明るさセンサ１０８の出力と無関係に人体検知センサ１０７の検出信号のみに基づいて動作させる状態（切状態）に設定することができる。
【００２０】
また、制御用ＩＣ１０３は、人体検知センサ１０７から入力された人体検知信号に基づいて、駆動回路１０２に制御信号を出力すると同時に、所定の動作保持時間の限時を開始し、動作保持時間内に再度人体検知センサ１０７から人体検知信号が入力された場合には、動作保持時間を再度最初から限時しなおすことで、制御信号の出力時間すなわち負荷Ｌの動作時間を延長するようになっている。つまり、本実施形態においては所謂リトリガブル機能を有している。そして、動作保持時間の限時が完了したら制御用ＩＣ１０３は制御信号の出力を停止し、サイリスタＳＣＲがトリガされなくなり、トライアックＴＲＣのゲートにトリガ電流が流れなくなって、トライアックＴＲＣがオフし、負荷Ｌへの電源供給が遮断される。なお、設定手段たるスイッチＳＷ３の切換操作によって動作保持時間を複数の段階（例えば１０秒〜３０分）に切り換えることができる。
【００２１】
ここで、モード切換手段たるモード切換スイッチＳＷ１，ＳＷ１’の切換操作に応じて、本回路の動作モードは、連続入モード（人体検知センサ１０７および明るさセンサ１０８の検出信号と無関係に負荷制御回路１０１を連続的にオンさせるモード）、自動モード（制御用ＩＣ１０３が人体検知センサ１０７および明るさセンサ１０８の検出信号に基づいて駆動回路１０２に制御信号を出力し、負荷制御回路１０１を自動的にオンオフさせるモード）、連続切モード（人体検知センサ１０７および明るさセンサ１０８の検出信号と無関係に負荷制御回路１０１を連続的にオフさせるモード）の３つのモードに切り換えることができる。なお、モード切換スイッチＳＷ１とＳＷ１’とは連動して切り換えられる。
【００２２】
電源回路１０５は、全波整流器ＤＢ１と、全波整流器ＤＢ１の直流出力端子間にトランジスタからなるスイッチング素子Ｑ１を介して接続された抵抗Ｒ１、ダイオードＤ１、およびコンデンサＣ１の直列回路と、コンデンサＣ１の両端間にトランジスタからなるスイッチング素子Ｑ２を介して接続されたインダクタＬ１、ダイオードＤ２、およびコンデンサＣ２の直列回路と、トランジスタＱ２およびインダクタＬ１の接続点にカソードが接続されるとともにコンデンサＣ１，Ｃ２の接続点にアノードが接続されたダイオードＤ３と、コンデンサＣ２と並列に接続されたツェナダイオードＺＤ１などから構成される。
【００２３】
全波整流器ＤＢ１の直流出力端子間には抵抗Ｒ２，Ｒ３の直列回路が接続されており、抵抗Ｒ２，Ｒ３の接続点の電位は制御用ＩＣ１０３に入力されている。制御用ＩＣ１０３は、抵抗Ｒ２，Ｒ３の接続点の電位からコンデンサＣ１の両端電圧を検出しており、コンデンサＣ１の両端電圧が所定の電圧値以下の場合は、トランジスタＱ１をオンするとともに、トランジスタＱ２をオフして、全波整流器ＤＢ１→トランジスタＱ１→抵抗Ｒ１→ダイオードＤ１→コンデンサＣ１→全波整流器ＤＢ１の径路で電流を流してコンデンサＣ１を充電する。コンデンサＣ１の両端電圧が所定の電圧値よりも大きくなると、制御用ＩＣ１０３はトランジスタＱ１をオフするとともに、トランジスタＱ２をオンさせる。この時、コンデンサＣ１の放電電流がコンデンサＣ１→トランジスタＱ２→インダクタＬ１→ダイオードＤ２→コンデンサＣ２→コンデンサＣ１の径路で流れ、インダクタＬ１およびコンデンサＣ２にエネルギが供給される。その後、コンデンサＣ１の両端電圧が所定の電圧値以下になると、制御用ＩＣ１０３は再びトランジスタＱ１をオンするとともに、トランジスタＱ２をオフしてコンデンサＣ１を充電する。この時、インダクタＬ２に蓄積されたエネルギがコンデンサＣ２に供給される。而して、コンデンサＣ２およびツェナダイオードＺＤ１からなる定電圧回路の両端間に一定電圧が発生し、この電圧がさらにレギュレータＩＣ１０９，１１０で安定化され、制御用ＩＣ１０３に供給される。なお、電源回路１０５は負荷制御回路１０１と並列に接続されているが、電源回路１０５の入力インピーダンスは、負荷制御回路１０１のオフ時に負荷Ｌが駆動するに至らないような高いインピーダンスに設定されているので、電源回路１０５には僅かな入力電流しか流れず、負荷Ｌは駆動には至らない。
【００２４】
また、負荷制御回路１０１のオン時には、補助電源回路１０６のカレントトランスＣＴの２次側に負荷電流に応じた電流が発生する。カレントトランスＣＴの２次巻線に流れる電流は整流器ＤＢ２で整流され、ダイオードＤ４を介してコンデンサＣ２を充電して、コンデンサＣ２およびツェナダイオードＺＤ１からなる定電圧回路に一定電圧が発生し、定電圧回路１０４に電源供給される。
【００２５】
本実施形態では、２個の接続端子ｔ１，ｔ２間に負荷Ｌおよび商用電源ＡＣの直列回路が接続される２線式の回路方式を採用しているので、図２２に示すように、商用電源ＡＣが接続される２個の電源用接続端子ｔ４，ｔ５と、負荷Ｌが接続される２個の負荷用接続端子ｔ６，ｔ７とを備え、人体検知センサや明るさセンサの検出信号に基づいて負荷Ｌをオンオフさせる制御信号を発生する制御回路１１２と、制御回路１１２の制御信号に基づいて負荷Ｌへの電源供給をオンオフする負荷制御回路１０１と、商用電源ＡＣから給電されて制御回路１１２の動作電源を生成する電源回路１１３とで構成される所謂４線式の回路方式を採用した場合に比べて接続端子の個数を減らすことができ、したがって接続端子を収納する空間が小さくて済むから熱線センサ付自動スイッチの器体を小型化できる。なお、本実施形態では接続端子ｔ１，ｔ２とは別に送り配線用の端子ｔ３を設けているが、送り配線用の端子ｔ３を設けた場合でも、４線式の回路方式に比べて端子の個数を減らすことができる。
【００２６】
また、４線式の回路方式を採用した場合でも送り配線用の送り端子を無くすことによって、従来の熱線センサ付自動スイッチに比べて接続端子の数を減らすことができ、接続端子を収納する空間を減らすことができ、器体を小型化することができる。
【００２７】
ところで、上述した人体検知センサ１０７や明るさセンサ１０８や回路部を収納する器体１は、図１に示すように、前面が開口する略箱状の合成樹脂製のボディ２と、ボディ２の前面を覆う合成樹脂製のカバー３から構成される。
【００２８】
図７（ａ）〜（ｅ）および図８に示すように、ボディ２の両側面にはそれぞれ側方に突出する係止凸部４が２個づつ突設されている。また、ボディ２の内部は隔壁によって、上述した回路部がそれぞれ実装された２枚のプリント基板２７，２８を収納するプリント基板収納部５ａと、鎖錠ばねや解除釦などから構成される従来周知の速結端子構造の端子（図示せず）が収納される端子収納部５ｂとに区切られている。端子収納部５ｂの底面には、ボディ２の底面側から電線を挿入する電線挿通孔６と、ボディ２の底面側からドライバなどの工具を挿入して端子収納部５ｂ内に収納された解除釦を操作し、鎖状ばねと電線との接続状態を解除するための操作孔７とが穿設されている。
【００２９】
ここで、接続端子ｔ１，ｔ２が速結端子構造の端子から構成されているので、電線挿通孔６から電線の芯線を挿入するだけで、電線と鎖錠ばねとを接続することができ、しかも電線を取り外す際は操作孔７から工具を挿入して解除釦を操作することにより、鎖錠ばねと電線の芯線との接続状態が外れるので、電線の着脱作業を容易に行うことができる。なお、速結端子構造の端子の代わりにねじ端子を用いても良く、速結端子構造の端子に比べて端子の収納する空間が小さくて済むので、器体１をさらに小型化することができる。
【００３０】
２枚のプリント基板２７，２８は、電源回路１０５や補助電源回路１０６などの電源回路が実装されたプリント基板２８をボディ２の底面側、制御用ＩＣ１０３などの弱電回路が実装されたプリント基板２７を前面側にしてボディ２内に収納されており、２枚のプリント基板２７，２８の間は図示しない電線を介して電気的に接続されている。また、プリント基板２８には速結端子の端子板が半田付されている。図１２に示すように、弱電回路が実装されたプリント基板２７は略矩形状であって、プリント基板２７の長手方向における一側には人体検知センサ１０７および明るさセンサ１０８が実装され、略中央にはモード切換スイッチＳＷ１が実装され、長手方向における他側にはスイッチＳＷ２，ＳＷ３が実装されている。
【００３１】
一方、カバー３は、図４乃至図６に示すように、前面が略矩形状に形成され、カバー３の前面には略直方体状の突台８が形成されており、突台８の両側には突台８よりも一段低くなった段部９が形成されている。各段部９の側縁には側方に突出する一対の係止爪片１０が２組突設され、各段部９には側方に開口する結合凹所１１が２個形成されており、係止爪片１０及び結合凹所１１から取付枠に結合するための取付け部が構成される。而して、係止爪片１０又は結合凹所１１の何れかを利用して金属製の取付枠あるいは合成樹脂製の取付枠の何れにも器体１を取り付けることができるようになっている。
【００３２】
突台８の長手方向における一側には、突台８よりも一段低くなった略矩形状の凹所１２が設けられ、凹所１２にはスイッチＳＷ２，ＳＷ３の操作つまみをそれぞれ臨ませる開口１３，１４が穿設されている。また凹所１２の一側には、カバー３に開閉自在に取り付けられる扉１５の軸１５ａを軸支する軸受け部１６が設けられるとともに、凹所１２の他側には孔１７が穿設されている。突台８の略中央にはモード切換スイッチＳＷ１の操作つまみを臨ませる開口１８が設けられ、突台８の長手方向における他側には人体検知センサ１０７や明るさセンサ１０８の受光面を臨ませるセンサ窓１９が設けられている。また、カバー３の両側縁からは、それぞれ、一対の舌片２０が背面側に突設されており、各舌片２０にはボディ２の係止凸部４と係止離脱自在に係止する係止孔２０ａが穿設されている。而して、ボディ２に突設された係止凸部４と、カバー３に設けられた舌片２０の係止孔２０ａとを係止させることによって、ボディ２とカバー３とを容易に結合することができる。なお、係止凸部４の前縁には傾斜面４ａが形成されているので、カバー３をボディ２に取り付ける際に、舌片２０の先端が傾斜面４ａに案内され、係止孔２０ａと係止凸部４とが係止するので、取付作業を容易に行うことができる。
【００３３】
カバー３のセンサ窓１９は、外部の光（熱線を含む）を人体検知センサ１０７や明るさセンサ１０８の受光面に集光するためのレンズが形成されたレンズ体２１によって閉塞される。図９（ａ）〜（ｆ）に示すようにレンズ体２１の両側縁にはレンズ体２１をカバー３に取り付けるための鍔２２が突設されており、レンズ体２１の前面にはフレネルレンズからなる略半球状のレンズ２３が一体的に設けられている。また、レンズ体２１の上下辺には、断面略半円状の透光性のレンズカバー２６を支持する略半月状のカバー支持枠２５，２５が設けられており、レンズカバー２６はカバー３とレンズ体２１との間に挟持され、レンズ２３を保護する。なお、センサ窓１９の上下縁には略半月状のカバー２９，２９が突設されており、カバー２９，２９によりレンズ支持枠２５，２５が覆われている。
【００３４】
なお、人体検知センサ１０７には、図１３（ａ）〜（ｃ）に示すように略円筒状であって表面にクロムメッキなどの反射面が形成された反射部材３０が被着されており、反射部材３０は脚片３１ａをプリント基板２７に接触させた状態で突起３１ｂをプリント基板２７の孔２７ａに挿入することにより、プリント基板２７に取り付けられる。而して、レンズ２３に外部から熱線が入射すると、入射した熱線の一部は反射部材３０の反射面で反射され、人体検知センサ１０７に入射されるようになっているので、熱線センサ付自動スイッチの配設された壁面のような施工面（造営面）に沿って移動する人を検知するための検知ビームを、レンズ２３と反射部材３０とで配置することができ、熱線センサ付自動スイッチの水平方向における検知範囲を約１８０度とすることができる。従来は、人体検知センサの水平方向における検知範囲が約９０度であるので、人体検知センサを収納した回転体を回動自在に器体に取り付け、回転体を回動させることによって検知領域の調整を行っていたため、回転体の回動機構を収納する空間を確保する必要があったが、本実施形態では反射部材３０でレンズ２３に入射する熱線を反射することによって水平方向における検知範囲を広げることができ、水平方向における検知範囲を例えば約１８０度まで広げることができる。したがって、従来のように回転体の回動機構を設ける必要が無く、器体１の小型化を図ることができる。
【００３５】
ところで、本実施形態では、不要な領域からの熱線の入射によって熱線センサ付自動スイッチが誤動作するのを防止するため、レンズカバー２６の前面に、熱線の検知領域を制限する遮光性を有する検知領域制限カバーとしての２個のエリア制限カバー２４，２４が、カバー支持部材たるカバー支持枠２５の周面に沿ってスライド自在に取り付けられており、エリア制限カバー２４はカバー３とレンズ体２１との間に挟持される。図１０（ａ）〜（ｃ）に示すように、エリア制限カバー２４は略矩形状であって断面円弧状に形成されており、エリア制限カバー２４におけるカバー支持枠２５側の面にはカバー支持枠２５の表面に設けられた溝２５ａと係止する突起２４ａが突設され、反対側の面の端部にはエリア制限カバー２４を開閉操作するための操作つまみ２４ｂが突設されている。検知領域を制限する必要のない場合、エリア制限カバー２４，２４はカバー３内に収納されており、検知領域を制限したい場合は、操作つまみ２４ｂを操作して、エリア制限カバー２４をカバー支持枠２５の周面に沿ってカバー３内から引き出すことにより、検知領域を熱線センサ付自動スイッチが取り付けられた造営面側から制限することができる。なお、熱線センサ付自動スイッチの正面方向の検知領域のみを制限したい場合は、レンズカバー２６の前方に所定の領域からの熱線を遮光する遮光部材（図示せず）を後付けするようにしても良く、正面方向の検知領域のみを制限することもできる。
【００３６】
従来の熱線センサ付自動スイッチでは、検知領域を制限するために遮光性を有するシールをレンズに貼り付けるなどして、検知領域を制限していたが、本実施形態ではエリア制限カバー２４がスライド自在に取り付けられているので、シールを貼り付ける場合に比べて検知領域の調整が容易に行え、検知領域の変更にも容易に対応することができる。ここで、エリア制限カバー２４をカバー支持枠２５の周面に沿ってスライドさせると、突起２４ａと溝２５ａとが係止してクリック感が発生するので、エリア制限カバー２４の調整位置を容易に見つけることができる。
【００３７】
また従来の熱線センサ付自動スイッチでは、人体検知センサ１０７などの検知部が配置される器体１の取付部位の表面形状は、前面に突出する曲面形状に形成されているが、モード切換スイッチＳＷ１やスイッチＳＷ２，ＳＷ３が配設される器体１の部位は平面形状に形成されているので、見栄えが悪いという問題があった。また、モード切換スイッチＳＷ１の操作つまみ３２が小さいため、操作しづらく、また現在の切換位置が判別しにくいという問題があった。
【００３８】
そこで、本実施形態では、モード切換スイッチＳＷ１の操作つまみ３２に操作ハンドル３３を被着している。操作ハンドル３３は、図１４（ａ）〜（ｄ）に示すように背面が開口した略箱状に形成され、前面は略中央が前方に突出するような曲面形状に形成されており、操作ハンドル３３の幅寸法は突台８の幅寸法よりも若干小さい寸法に形成されている。操作ハンドル３３前面の裏側には、開口部に突出する一対の挟持片３３ａ，３３ａが突設されている。図１７に示すように、挟持片３３ａ，３３ａはカバー３の開口１８からカバー３の内部に挿入され、挟持片３３ａ，３３ａの間でモード切換スイッチＳＷ１の操作つまみ３２を挟持することにより、操作ハンドル３３がカバー３の前面に取り付けられる。而して、操作ハンドル３３を操作することによって、モード切換スイッチＳＷ１の操作つまみ３２の切換操作を行い、動作モードを切り換えることができる。操作ハンドル３３前面の表面形状は、検知部の取付部位の表面形状と同じく曲面形状に形成されているので、見栄えが良く、また操作ハンドル３３の幅寸法は操作つまみ３２に比べて大型であるので操作性が向上する。
【００３９】
また、モード切換スイッチＳＷ１が自動モードに切り換えられている場合、操作ハンドル３３の水平方向における中心位置と器体１の水平方向における中心位置とが略一致し、連続入モードあるいは連続切モードに切り換えられている場合、操作ハンドル３３の水平方向における中心位置と、器体１の水平方向における中心位置とがずれるので、自動モードに切り換えられた時の操作ハンドル３３の位置（定常位置）を容易に見分けることができ、操作ハンドル３３を、連続入モードあるいは連続切モードの位置から定常位置に戻しやすくできる。
【００４０】
また、プリント基板２７に実装されたスイッチＳＷ２，ＳＷ３の操作つまみ３５，３６は、それぞれ、カバー３の表面に穿設された開口１３，１４からカバー３の前面側に突出している。スイッチＳＷ３の断面略円形の操作つまみ３６には操作性を向上するために鍔３７が取り付けられている。図１５（ａ）（ｂ）に示すように、鍔３７は略円筒状であって、周面に一対の突起３７ｂが突設されており、筒孔３７ａ内に操作つまみ３６が嵌合される。
【００４１】
スイッチＳＷ２，ＳＷ３が配置された器体１の凹所１２は扉１５により開閉自在に覆われている。図１６（ａ）〜（ｅ）に示すように、扉１５の表面形状は前方に突出する曲面形状に形成されており、両側縁には略半月状の側板１５ｄ，１５ｄが設けられている。側板１５ｄ，１５ｄの一端部には、それぞれ、カバー３に設けられた軸受け部１６の孔１６ａに軸支される軸１５ａ，１５ａが突設されており、カバー３の孔１７に対応する扉１５の部位には裏面側に突出する弾性を有する係止片１５ｂが突設されており、係止片１５ｂの先端には側方に突出する爪１５ｃが突設されている。
【００４２】
図１８に示すように、扉１５の軸１５ａ，１５ａを軸受け部１６の孔１６ａと係止させることにより、扉１５がカバー３の前面に開閉自在に取り付けられる。扉１５を閉じる際は、扉１５を図１８中時計回りに回転させると、扉１５に突設された係止片１５ｂが孔１７内に挿入され、爪１５ｃが孔１７の端面に当たって係止片１５ｂが内側に押し撓められ、爪１５ｃが孔１７の端面を乗り越えてカバー３の内面と係止するので、扉１５が閉じられた状態でラッチされる。また扉１５を開ける際は、扉１５を図１８中反時計回りに回転させると、爪１５ｃが孔１７の端面に当たって係止片１５ｂが内側に押し撓められ、爪１５ｃが孔１７の端面を乗り越えて爪１５ｃとカバー３内面との係止状態が外れるので、扉１５を容易に開けることができる。
【００４３】
このように、スイッチＳＷ２，ＳＷ３が配設されたカバー３の部位は扉１５によって開閉自在に覆われているので、スイッチＳＷ２，ＳＷ３が不用意に操作させるのを防止することができる。また、扉１５の表面は曲面形状に形成されており、人体検知センサ１０７が配設されたカバー３の取付部位の表面形状や、操作ハンドル３３の表面形状と同様に曲面形状に形成されているので、見栄えを良くすることができる。また、扉１５は断面略半月状に形成されているので、扉１５内の空間を大きくとることができるから、スイッチＳＷ３の操作つまみ３６に操作ハンドル３７を取り付けることができ、スイッチＳＷ３の操作性を向上させることができる。
【００４４】
本実施形態では、器体１を造営面に取り付けた状態で、人体検知センサ１０７の取付部位を器体１の下側に配置し、モード切換スイッチＳＷ１を器体１の中央に配置し、スイッチＳＷ２，ＳＷ３を器体１の上側に配置しており、発熱部品とと人体検知センサ１０７とをできるだけ離して器体１内に納めているので、人体検知センサ１０７が器体内部の発熱の影響を受けにくくなる。さらに、人体検知センサ１０７を器体１の下側に配置した場合は、発熱部品から直接放射される輻射熱の影響を低減できるとともに、器体１内部の熱の循環による影響を低減することもでき、発熱部品の発熱の影響をさらに受けにくくできる。
【００４５】
なお、モード切換スイッチＳＷ１やスイッチＳＷ２，ＳＷ３を操作する際に、明るさセンサ１０８が手の影に入ると明るさセンサ１０８が誤動作する虞があるので、明るさセンサ１０８および人体検知センサ１０７を器体１の上側に配置するとともに、スイッチＳＷ１〜ＳＷ３を明るさセンサ１０８よりも下側に配置するようにしても良い。すなわち、最も頻繁に操作されるモード切換スイッチＳＷ１を器体１の略中央に配置するとともに、スイッチＳＷ２，ＳＷ３を器体１の下側に配置するか、あるいは、モード切換スイッチＳＷ１を器体１の下側に配置するとともに、スイッチＳＷ２，ＳＷ３を器体１の略中央に配置する。
【００４６】
ところで本実施形態においては、ボディ２とカバー３から成る器体１を壁面等の造営面に埋込配設するために、埋込型の配線器具用に規格化された既製の取付枠に取り付けることができる寸法に形成してある。このような取付枠としては、例えばＪＩＳで規格化されている大角形連用配線器具の取付枠（ＪＩＳＣ８３７５参照）がある。そして、本実施形態では器体１の長手方向の寸法を、大角形連用配線器具の１連の取付枠の開口窓の長手方向寸法の略３分の２の寸法（２個モジュール寸法）に形成している。
【００４７】
図２０は前記２個モジュール寸法に器体１が形成された熱線センサ付自動スイッチと、大角形連用配線器具の１個モジュール寸法のスイッチ９０を一連の金属製の取付枠６０に取り付けた状態を示している。この取付枠６０は、中央に開口窓６０ａを有する矩形枠状に形成されており、長手方向に対向する取付片６１に図示しない埋込ボックスに取り付けるためのボックスねじ用の長孔６２と、壁を構成する石膏ボードなどに取り付けるための従来周知のはさみ金具（図示せず）が取着される取着孔６３と、前面にプレート枠（図示せず）等を取り付けるためのプレートねじ用のねじ孔６４とが少なくとも設けてある。また、取付枠６０の開口窓６０ａ両側の各側片６５には固定爪（図示せず）と可動爪６６とが設けてある。而して、カバー３の結合凹所１１の一方に固定爪を挿入したのち、可動爪６６を他方の結合凹所１１に押し込んで係止することで器体１を取付枠６０に容易に取り付けることができる。このように器体１を３個モジュール寸法の取付枠６０に取り付ければ、器体を２個モジュール寸法に形成してあるため、取付枠６０の残りの１個モジュール寸法の空間にスイッチ９０やコンセント、モジュラージャックなどの他の配線器具（大角連用形配線器具）を取り付けることができ、取付枠６０によって他の配線器具と容易に並設できる。
【００４８】
また図２０は熱線センサ付自動スイッチとスイッチ９０を合成樹脂製の取付枠７０に取り付けた状態を示している。ここで、この取付枠７０は、長手方向に対向する取付片７１にボックスねじ用の長孔７２と、はさみ金具が取着される取着孔（図示せず）と、プレートねじ用のねじ７４とが少なくとも設けてある。また、取付枠７０の一方の側片７５には２つで１組となった係止孔（図示せず）が３組ずつ並設され、他方の側片７６には横長の板片７７が垂設されている。この板片７７には開口部７９が３つ並設され、各開口部７９の下縁には突出片７８が上方へ突設してある。而して、カバー３の一方の係止爪片１０を側片７５の係止孔に挿入したのち、反対側の係止爪片１０を突出片７８の肩８０に載せるようにして開口部７９に挿入すれば、図２０に示すように器体１を取付枠７０に取り付けることができる。なお、この場合における器体１の長手方向の寸法は、取付枠７０の開口窓７０ａの長手方向寸法の略３分の２に形成されている（２個モジュール寸法）。
【００４９】
ところで、図２０に２点破線で示すように、合成樹脂製の取付枠７０の前面にはプレート取付枠８１を介してプレート８２が取り付けられるようになっている。このプレート８２は取付枠７０の開口窓７０ａよりも大きな寸法の開口部を有しており、そのままではプレート８２の開口部から取付枠７０の一部が露出してしまう。そこで、取付枠７０の前面にプレート８２の開口部と熱線センサ付自動スイッチの前面との隙間を塞ぐ化粧カバー８３が取り付けてある。これにより、所謂ピアノハンドルスイッチのような配線器具に対応して大きな開口部を有するプレート８２にも容易に対応が可能となる。
【００５０】
なお、図１９、図２０では、スイッチ９０が熱線センサ付自動スイッチに対して上側になるように取付枠６０，７０に取り付けているが、スイッチ９０を操作する際に手の影が明るさセンサ１０８に入らないようにするため、スイッチ９０が熱線センサ付自動スイッチに対して下側にくるようにして、スイッチ９０と熱線センサ付自動スイッチとを取付枠６０，７０に並設しても良い。
【００５１】
【発明の効果】
上述のように、請求項１の発明は、人体から放射される熱線を検知することにより検知領域内における人の存否を検知する人体検知センサと、周囲の明るさを検知する明るさセンサと、明るさセンサの検知した周囲の明るさが所定のしきい値よりも暗く、且つ、人体検知センサが人の存在を検知すると、所定の動作保持時間の間だけ負荷をオンオフさせる制御信号を発生する制御回路、当該制御回路から入力される制御信号に基づいて負荷への電源供給をオンオフ制御する負荷制御回路および制御回路に動作電源を供給する電源回路よりなる回路部と、人体検知センサ、明るさセンサおよび回路部を収納する器体とを備え、上記器体は、前面が略矩形状に形成され、壁面のような施工面に固定される取付枠に結合される取付け部を有し、上記器体の短幅方向の寸法は、前記取付枠の開口窓の短幅方向寸法と略同じ寸法に形成されるとともに、上記器体の長手方向の寸法は、前記開口窓の長手方向寸法の略３分の２に形成され、所定の検知領域から入射される熱線を人体検知センサに集光するレンズと、所望の検知領域が得られるようにレンズにより集光された光の一部を反射して人体検知センサに入射させる反射部材と、動作モードを、人体検知センサおよび明るさセンサの検知信号に基づいて自動的に負荷をオンオフ制御する自動モード、検知信号と無関係に負荷を強制的にオンさせる連続入モード、又は検知信号と無関係に負荷を強制的にオフさせる連続切モードの内の何れかに切り換えるモード切換手段と、当該モード切換手段を操作するための操作ハンドルと、明るさのしきい値および動作保持時間の設定を切り換える設定手段と、当該設定手段が設けられた器体の部位を開閉自在に覆う扉とを設け、人体検知センサが配置される器体の取付部位に対して前記操作ハンドルと前記扉とを施工状態における上下方向に並べて配置し、上記取付部位の表面形状を前方に突出する曲面形状に形成するとともに、前記操作ハンドルおよび前記扉の表面形状をそれぞれ上記取付部位と略同じ曲面形状に形成したことを特徴とする。このような構成を採用したことにより、制御回路が人体検知センサおよび明るさセンサの検知信号に基づいて制御信号を発生し、負荷制御回路が制御信号に応じて負荷への電源供給をオンオフしているので、人体検知センサおよび明るさセンサの検知信号に応じて負荷を自動的にオンオフすることができ、且つ、器体の長手方向寸法が取付枠の開口窓の長手方向寸法の略３分の２に形成されているので、この器体を他の配線器具とともに取付枠に並設することができる。しかも、レンズおよび反射部材の組み合わせにより所望の検知領域を得ることができるので、従来のように人体検知センサの向きを変化させて検知領域を調整するための回転機構を器体に設ける必要がなく、回転機構を収納する空間が不要になるので、器体を小型化することができる。しかも、周囲が明るい場合に動作させる必要のない照明負荷などで負荷が構成される場合は、周囲が明るい場合に負荷が動作するのを防止して省エネを図ることができる。また、操作ハンドルおよび扉の表面形状を、それぞれ、人体検知センサが配置される器体の取付部位と略同じ曲面形状に形成しているので、操作ハンドルを大きくして操作性を向上させるとともに、見栄えを良くすることができ、且つ、現在の設定状態を容易に判別することができる。そのうえ、扉の表面形状を曲面形状としているので、扉の内面側の空間を広く取ることができ、設定手段を操作する操作ハンドルを設定手段に取り付ける空間を扉内部に確保することができるから、設定手段の操作性を向上させることもできる。
【００５２】
請求項２の発明は、請求項１の発明において、商用電源および負荷の直列回路が接続される２個の接続端子を設け、上記負荷制御回路は接続端子を介して商用電源および負荷と直列に接続されるとともに、上記電源回路は負荷制御回路と並列に接続されており、上記電源回路は負荷の非駆動時に負荷が駆動するに至らないレベルの入力インピーダンスを有し、負荷の非駆動時に制御回路に電源供給しており、負荷の駆動時に制御回路に動作電源を供給する補助電源回路を設けたことを特徴とし、商用電源が接続される接続端子と負荷が接続される接続端子とを別々に設けた場合に比べて接続端子の数を少なくすることができ、接続端子を収納する空間が小さくて済むので、器体を小型化できるという効果がある。
【００５３】
請求項３の発明は、請求項１又は２の発明において、商用電源や負荷の接続される接続端子が速結端子構造の端子からなることを特徴とし、電線を端子に差し込むだけで電線を容易に接続できるという効果がある。
【００５４】
請求項４の発明は、請求項１又は２の発明において、商用電源や負荷の接続される接続端子がねじ端子からなることを特徴とし、速結端子構造の端子を用いる場合に比べて端子を収納する空間が小さくて済むので、器体をさらに小型化することができるという効果がある。
【００５５】
請求項５の発明は、請求項１乃至４の何れかの発明において、人体検知センサを、熱を発生する回路部品と離して器体内部に配置したことを特徴とし、人体検知センサと発熱部品とを離すことによって回路部品の発熱による人体検知センサの誤動作を防止することができるという効果がある。
【００５６】
請求項６の発明は、請求項１乃至５の何れかの発明において、人体検知センサの検知領域を制限する遮光性を有する検知領域制限カバーを設け、該検知領域制限カバーが表面に沿ってスライド自在に移動するカバー支持部材を器体に設けたことを特徴とし、不要な領域からの熱線を検知領域制限カバーで遮光することにより人体検知センサの誤動作を防止することができ、且つ、検知領域制限カバーはスライド自在に設けられているので、遮光する領域の変更にも容易に対応できるという効果がある。
【００５７】
請求項７の発明は、請求項６の発明において、検知領域制限カバーに設けられた被係止部と凹凸係止する係止部を支持カバーの表面に設けたことを特徴とし、検知領域制限カバーをスライドさせる際に被係止部が係止部と係止してクリック感が発生するので、検知領域制限カバーの調整位置を容易に見つけることができるという効果がある。
【００５８】
請求項８の発明は、請求項１乃至５の何れかの発明において、人体検知センサの検知領域を制限する遮光性を有する検知領域制限カバーが器体に着脱自在に取り付けられたことを特徴とし、検知領域制限カバーは着脱自在となっているので、任意の位置に取り付けて所望の領域からの熱線を遮光することができるという効果がある。
【００５９】
請求項９の発明は、請求項１乃至８の何れかの発明において、モード切換手段および設定手段の操作ハンドルが配設された器体の部位よりも上方に明るさセンサが配置されたことを特徴とし、モード切換手段や設定手段を操作する際に明るさセンサが手のかげに入ることがなく、明るさセンサの誤動作を防止できるという効果がある。
【図面の簡単な説明】
【図１】  本実施形態の熱線センサ付自動スイッチを示し、（ａ）は正面図、（ｂ）は側面図である。
【図２】  同上の熱線センサ付自動スイッチを示し、図１（ａ）中のＡ−Ａ’線断面図である。
【図３】  同上の熱線センサ付自動スイッチを側方から見た断面図である。
【図４】  同上に用いるカバーを示し、（ａ）は正面図、（ｂ）は右側から見た側面図、（ｃ）は左側から見た断面図、（ｄ）は上面図である。
【図５】  同上に用いるカバーを示し、（ａ）は図４（ａ）中のＢ−Ｂ’線断面図、（ｂ）は図４（ａ）中のＣ−Ｃ’線断面図、（ｃ）は図４（ａ）中のＤ−Ｄ’線断面図である。
【図６】  同上に用いるカバーを示す裏面図である。
【図７】  同上に用いるボディを示し、（ａ）は正面図、（ｂ）はＥ−Ｅ’線断面図、（ｃ）は右側から見た側面図、（ｄ）は上面図、（ｅ）はＦ−Ｆ’線断面図である。
【図８】  同上に用いるカバーを示す裏面図である。
【図９】  同上に用いるレンズ体を示し、（ａ）は正面図、（ｂ）は左側から見た側面図、（ｃ）は右側から見た断面図、（ｄ）は裏面図、（ｅ）は上面図、（ｆ）はＧ−Ｇ’線断面図である。
【図１０】  同上に用いるエリア制限カバーを示し、（ａ）は側面図、（ｂ）は正面図、（ｃ）は下面図である。
【図１１】  同上に用いるレンズカバーを示し、（ａ）は正面図、（ｂ）は下面図である。
【図１２】  同上に用いるプリント基板を示し、（ａ）は正面図、（ｂ）は側面図である。
【図１３】  同上に用いる反射部材を示し、（ａ）は正面図、（ｂ）は側面図、（ｃ）は下側から見た断面図である。
【図１４】  同上に用いる操作ハンドルを示し、（ａ）は正面図、（ｂ）は右側から見た側面図、（ｃ）は左側から見た断面図、（ｄ）は下側から見た断面図である。
【図１５】  同上に用いる操作つまみを示し、（ａ）は正面図、（ｂ）は側断面図である。
【図１６】  同上に用いる扉を示し、（ａ）は正面図、（ｂ）は右側から見た側面図、（ｃ）は左側から見た側面図、（ｄ）は上面図、（ｅ）は下側から見た断面図である。
【図１７】  同上の熱線センサ付自動スイッチを示す要部断面図である。
【図１８】  同上の熱線センサ付自動スイッチを示す要部断面図である。
【図１９】  同上の熱線センサ付自動スイッチの使用状態を示し、（ａ）は正面図、（ｂ）は側面図である。
【図２０】  同上の熱線センサ付自動スイッチの使用状態を示し、（ａ）は正面図、（ｂ）は側面図である。
【図２１】  同上の熱線センサ付自動スイッチの回路図である。
【図２２】  同上の別の回路方式をの回路図である。
【符号の説明】
１  器体
２  ボディ
３  カバー
１０  係止爪片
１１  結合凹所
【図１】
0003740866.tif 000002
【図２】
0003740866.tif 000003
【図３】
0003740866.tif 000004
【図４】
0003740866.tif 000005
【図５】
0003740866.tif 000006
【図６】
0003740866.tif 000007
【図７】
0003740866.tif 000008
【図８】
0003740866.tif 000009
【図９】
0003740866.tif 000010
【図１０】
0003740866.tif 000011
【図１１】
0003740866.tif 000012
【図１２】
0003740866.tif 000013
【図１３】
0003740866.tif 000014
【図１４】
0003740866.tif 000015
【図１５】
0003740866.tif 000016
【図１６】
0003740866.tif 000017
【図１７】
0003740866.tif 000018
【図１８】
0003740866.tif 000019
【図１９】
0003740866.tif 000020
【図２０】
0003740866.tif 000021
【図２１】
0003740866.tif 000022
【図２２】
0003740866.tif 000023